Podtech/llm-jp-corpus-v4-ja_patent huggingface dataset:
(57)【要約】【課題】帯状炭素繊維織布の端を隈なく電気接続させて発熱体として機能させる事と、帯状である為に単位長当たりの電気抵抗が低く高電圧での使用に工夫が必要である。【解決手段】帯状炭素繊維織布の端を隈なく電気接続させるには、幅広の電気良導体で挟み込みをする形の幅広いクリップで、発熱体部分を挟み込み接続端子とする一方、高電圧での使用に対しては、織布加工に於いて、発熱体部分と電気絶縁体部分とを分けて数本の縞織りにして、発熱部分毎に接続端子で接続し、夫々を直列接続して電気抵抗を高く成る様に構成して高電圧に耐えるようにする。【選択図】図２
2018081864.tif 000002
【特許請求の範囲】
【請求項１】
一般織布に於いて、縦糸に相当する所を、発熱体である炭素繊維と電気絶縁体である絶縁繊維とを交互に、一方は適当な幅を定めて炭素繊維で連続に織り、他方は電気絶縁がされる細い幅を定めて連続に織り、発熱体部分が数本になる幅として、横糸に相当する所は電気絶縁繊維にして、発熱体部分が縦縞になる織布を使用して、発熱体各部分の縞端全域を電気接続端子であるところの、幅広のバネ性があるクリップで挟み込み、炭素繊維を隈なく電気接続させて、全ての発熱体を直列接続する事を特徴とする炭素繊維面状ヒーター。
【発明の詳細な説明】
【技術分野】
【０００１】
本発明は、面状ヒーターに於ける、炭素繊維織布発熱体と接続端子の構成に関するものである。
【背景技術】
【０００２】
従来の面状ヒーターは、発熱体を平らにした物を伸びる方向に対して、垂直にジグザグ模様に細かく伸ばして、発熱体を反対側までに長く成る様に構成し、その両端に電極を接続している。
【０００３】
更に一枚のシートに同様に発熱体を、複数列並列に敷設して、並列接続している。
【先行技術文献】
【特許文献】
【０００４】
【特許文献１】特開２０１６−９１８８４
【非特許文献】
【０００５】
【非特許文献１】東レ株式会社  ホームページ  高性能炭素繊維トレカ
【発明の概要】
【発明が解決しようとする課題】
【０００６】
解決しようとする問題点は、面状発熱体として熱効率の良い炭素系を使用する場合、既製品が無く特別加工を施す必要がありコスト高になる。
【０００７】
コストダウンを計る為の、一般既製品の帯状炭素繊維織布は、単位長当たりの電気抵抗値が低すぎる傾向にある。
【０００８】
更に、帯状炭素繊維織布は、多数の繊維の全端をまとめて接続して電極端子としなければならない。
【課題を解決するための手段】
【０００９】
他用途での一般既製品の帯状炭素繊維織布の中に、利用可能な製品を探し当てた。
縦糸として細い糸状炭素繊維を数ミリメートル幅程度平らに並べて、横糸としては電気絶縁体である化学繊維を使用して連続に平らに並べる様に帯状に編み、一列が数センチメートル幅になる発熱体を形成している。
【００１０】
その列毎の仕切りを、縦糸として電気絶縁体である化学繊維を使用して数ミリメートル幅の電気絶縁体で電気的に隔離して、複数列の織布を形成しているので、列を成している炭素繊維織布の発熱体毎をジグザグに直列接続して全体の電気抵抗値を大きくする。
【００１１】
発熱体の端は、数センチメートル幅があり炭素繊維がバラバラに成っているので、細長い長方形のバネ材を、長手方向の端から見て薄いU字形などになるように折り曲げたバネ性のある幅広のクリップで挟み込み、接続端子とする。
【発明の効果】
【００１２】
一般既製品の帯状炭素繊維織布を利用するので、コストパフォーマンスが有利になり、材料として少量でも短期間に入手できる可能性がある。
【００１３】
電極は幅広のクリップで挟むだけなので、作業性が良く、短時間に簡単に出来、製品にバラつきが少なく安定に出来る可能性がある。
【００１４】
発熱体が偶数列ある各列をジグザグに直列接続する事で、電極の２端子がヒーターとしての片側に備わるので、設置工事の際に都合が良くなる。
【００１５】
更に、ジグザグに直列接続する事で、電流が隣同士で逆になり、不要電磁波の発生を抑えて、電磁障害の防止になる。
【図面の簡単な説明】
【００１６】
【図１】図１は帯状炭素繊維織布の構成を表した平面図である。
【図２】図２は帯状炭素繊維織布に接続端子を敷設した平面図と側面図である。
【発明を実施するための形態】
【００１７】
一般既製品の帯状炭素繊維織布を発熱体として利用し、その発熱体の端を幅広のバネ材を利用したクリップで挟む事で発熱体の表裏両面の炭素繊維全領域を接続端子に接する事ができ、電気接続を確実かつ安定にした、面状ヒーターを実現した。
【実施例１】
【００１８】
図１は、本発明に利用する一般既製品にある帯状炭素繊維織布を説明用に簡素化して四列の発熱体から成る織布全体の平面図である。
【００１９】
帯状炭素繊維織布１は、四列の炭素繊維で織られた数センチメートル幅の各発熱体２の間に、電気絶縁性のある繊維で織られた数ミリメートル幅の絶縁体３で構成されている。
【００２０】
図２は、図1の織布の発熱体２の両端に接続端子を敷設した、ヒーターとしての簡素化した説明用の外観図である、ただし実際とは相対的に寸法や形が異なるところがある。
【００２１】
４列ある発熱体２の一列目の片側の端は電極形接続端子４を接続して、反対側の端は中継形接続端子５を二列目の発熱体２の片側の端と共に、折り返し直列接続をする。
【００２２】
二列目の発熱体２の他の端は中継形接続端子５を三列目の発熱体２の片側の端と共に、折り返しの直列接続をする。
【００２３】
三列目の発熱体２の他の端は中継形接続端子５を四列目の発熱体２の片側の端と共に、折り返しの直列接続をする。
【００２４】
四列目の発熱体２の他の端は電極形接続端子４を接続して、一枚の面状ヒーターが構成できる。
【００２５】
一列の発熱体２の電気抵抗の四倍の電気抵抗を持った面状ヒーターに成る。
【００２６】
実用には、更にこの面状ヒーターは、発熱体２や接続端子部分を外部と電気的に絶縁する加工を施す。
【００２７】
接続端子で発熱体２を挟み込むには、特殊な工具により簡単に確実に出来る。
【００２８】
接続端子の端が開いている部分を、引っ掛けて接続端子を開きながら、そこに発熱体２を挿入して、接続端子を閉じる事で接続が出来る。
【００２９】
この様にして出来た面状ヒーターを、一般の商用電源で使用するには、数枚を直列接続して、適合させて利用することに成る。
【産業上の利用可能性】
【００３０】
本発明は、積雪や氷凍結を防止または除去する為に、屋根などの内側に敷設して、制御システムにより管理して運用できる。
【００３１】
従って、日本国内外に於いて広く利用される可能性がある。
【符号の説明】
【００３２】
１    帯状炭素繊維織布
２    発熱体
３    絶縁体
４    電極形接続端子
５    中継形接続端子
【図１】
2018081864.tif 000003
【図２】
2018081864.tif 000004
(57)【要約】【課題】分数の異分母加減計算１／ｍ＋１／ｎは、ある数量の全体を１として、その全体の１／ｍとその全体の１／ｎの足し算であるのだが、全体を１とするという抽象的な概念を理解させることの困難性の為、通分という機械的手法だけでの計算をするという課題が存在した。【解決手段】分数の異分母の足し算は、確率の和・積の法則の概念が含有され、分数を確率を表す面積に変換し、その計算過程を可視化するため、Ａ４サイズのプラスチックプレート上に、縦にｍ等分した正方形（１×１確率平面）ともう１枚の透明プラスチックプレートに横にｎ等分した正方形（１×１確率平面）を重ねあわせることにより、ｍ×ｎ個の四角形が現出し、これが通分の分母数になり、１／ｍ，１／ｎ内の四角形の数が分子となり、分子の数を足して計算が完成し確率の和・積の法則とともに通分の意味が理解され、課題を解決する。【選択図】図３
2018081291.tif 000002
【特許請求の範囲】
【請求項１】
Ａ４サイズのプラスチックのプレート２枚に、１枚は透明のものとし、正方形（１×１確率平面）内に９個の正方形それぞれの縦にｍ（２≦ｍ≦９）分割する線が印刷され、もう１枚の透明プレートには、正方形（１×１確率平面）内に９個の正方形それぞれの横にｎ（２≦ｎ≦９）分割する線が印刷されていることを特徴とする通分解明確率定規。
【請求項２】
この定規上の１／ｍに縦に分割された正方形の上に、もう１枚の透明定規上の横に１／ｎに分割された正方形を重ねると、分数の掛け算の実行となり、ｍｎ個の四角形（通分単位面積）が現出し、これが通分された分母数となる。そして、１／ｍ四角形内、１／ｎ四角形内にある通分単位面積の四角形の数が分子となり数えるだけで、異分母の加減の計算が可視化、理解できることを特徴とする通分解明確率定規。
【請求項３】
透明ではない定規には、サイコロを投げるときの出目の確率を１×１確率平面を使い、確率の和・積の法則や帯分数・仮分数の概念が視覚化でき、学習補助教材にもなることを特徴とする通分解明確率定規。
【発明の詳細な説明】
【技術分野】
【０００１】本発明は分数の異分母における加減計算に際し、使われる通分という機械的な計算方法を確率の領域という概念を可視化し理解できる通分解明確率定規に関する。
【背景技術】
【０００２】分数は確率、割合、比、割り算であり、定規は数値を計測する補助道具である。
【先行技術文献】
【０００３】
【特許文献】
【特許文献】特開２００７−１９３８１３
【発明の概要】
【発明が解決しようとする課題】
【０００４】しかしながら、１／ｍ＋１／ｎの計算は、ある数量の全体を１として、その全体の１／ｍとその全体の１／ｎの足し算計算であるのだが、全体を１とするという抽象的な概念は、分数計算を習い始める小学生には理解が困難という課題が存在する。【０００５】さらに、異分母を同じ数の分母にするという通分による機械的な教え方をされ、その後の学習の成果による理解が各自に任せられるため、算数、数学の学習を経た後、分数の計算はできるものの、通分の意味を理解説明できる人は少ない状態である。そして、異分母の分数計算は、確率計算の和の法則、積の法則の概念を含み、その理解の利益を逸している課題が存在する。
【課題を解決するための手段】
【０００６】該通分解明確率定規に於いて、１／ｍ＋１／ｎの異分母分数計算を、１×１の確率平面内の事象Ａの確率１／ｍと事象Ｂの確率１／ｎを和の法則の面積で求めるという計算に変換する。この変換により、１／ｍの面積と１／ｎの面積を共通して表せる単位の面積は、Ａ∩Ｂにより確率の積の法則により１／ｍ×１／ｎ＝１／ｍｎであり、これを通分単位面積（仮称）とし、１×１の確率平面において、その面積をｍｎ個に等分し、事象Ａの確率１／ｍの面積はｎ／ｍｎ、事象Ｂの確率１／ｎの面積はｍ／ｍｎと表現でき、１／ｍ＋１／ｎ＝ｍ＋ｎ／ｍｎとなり、通分の意味を理解でき上記の課題を解決する。【０００７】該通分解明確率定規は、Ａ４サイズのプラスチックのプレート２枚とし、１枚は透明のものとする。１枚には、正方形（１×１確率平面）９個が印刷され、それぞれ単位分数、１／２、１／３、１／４、１／５、１／６、１／７、１／８、１／９、（縦にｍ分割する線が引かれている。２≦ｍ≦９  Ａ定規とする）もう１枚の透明プレートに、正方形（１×１確率平面）９個にそれぞれ単位分数１／２、１／３、１／４、１／５、１／６、１／７、１／８、１／９、（横にｎ分割する線が引かれている。２≦ｎ≦９  Ｂ定規とする）。このＡ定規の１／ｍに分割された正方形の上にＢ定規の１／ｎに分割された定規を重ねると、分数の掛け算の実行となり、ｍｎ個の四角形（通分単位面積）が現出し、これが通分された分母数となる。そして、１／ｍ四角形内、１／ｎ四角形内にある通分単位面積の四角形の数が分子となり数えるだけで、異分母の計算が可視化、理解でき上記の課題を解決する。【０００８】該通分解明確率定規の１／ｍ、１／ｎ領域の四角形の線は、通分単位面積の四角形の数が迅速に数えられるように、色や線の種類を変えてあることを特徴とする。【０００９】該通分解明確率定規のＡ定規の裏面には、サイコロの出目による確率平面図が記載され、確率和の法則の意味と帯分数や分子が１以上の分数（仮分数）を視覚化、区別できるようになっていることを特徴とする。
【発明の効果】
【００１０】該通分解明確率定規は、ある数量の全体を１とする概念を利用し、分数計算を確率の面積計算に変換することにより、通分の意味、確率和・積の法則を理解できる効果がある。
【図面の簡単な説明】
【００１１】
【図１】この発明の一実施形態を示す図である。
【図２】この発明の一実施形態を示す図である。
【図３】この発明の一実施形態を示す図である。
【図４】この発明の一実施形態を示す図である。
【図５】この発明の一実施形態を示す図である。
【発明を実施するための形態】
【００１２】この発明の一実施形態を、図１・図２・図３・図４・図５に示す。
【符号の説明】
【００１３】Ａ→：１／ｍ、１／ｎ領域の四角形の点線で分子を迅速に数える枠。
←１：シートＡの２分の１の正方形とシートＢの３分の１の正方形を重ねる。
↓２：通分単位面積が６個できる。分母が６となる。
↓３：１／２の四角形には３個の通分単位面積  ３／６
↓４：１／３の四角形には２個の通分単位面積  ２／６
５→：  分数計算の実行
←６：シートＡの６分の１の正方形とシートＢの６分の１の正方形を重ねる。
【図１】
2018081291.tif 000003
【図２】
2018081291.tif 000004
【図３】
2018081291.tif 000005
【図４】
2018081291.tif 000006
【図５】
2018081291.tif 000007
(57)【要約】【課題】  キーボード演奏者はステージ上で動き回ることができず、また、動き回るためにショルダーキーボードを使用すると、鍵盤を直接視認しにくいため覗き込むような演奏姿勢になりがちであった。  本発明は、ステージ上で動き回れて鍵盤も視認しやすく演奏しやすい演奏用のアームキーボードを提供する。【解決手段】  演奏用キーボードの底面に、上腕に装着できるフレームを固定し、左腕に装着できるように設計したことを特徴とする演奏用のアームキーボード。【選択図】図３
2018081292.tif 000002
【特許請求の範囲】
【請求項１】
キーボードの底面に、腕を締めるスリーブ式の装着具を固定し、キーボード自体を上腕に装着する形にした演奏用のアームキーボード。
【発明の詳細な説明】
【技術分野】
【０００１】  本発明は、腕に装着できるようにした演奏用のアームキーボードに関するものである。
【背景技術】
【０００２】  従来、コンサート等でキーボード奏者はギタリスト等と違い、ステージ上を動き回りながらパフォーマンスはせず、据え置き式のキーボードで演奏していた。
なお、キーボード奏者が、ステージを動き回りながら演奏するためには、肩かけ式のショルダーキーボードとよばれる種類のキーボードが知られている。
【先行技術文献】
【特許文献】
【０００３】
【特許文献１】  実開平６−５５１９５号公報
【発明の概要】
【発明が解決しようとする課題】
【０００４】  キーボードの演奏者がコンサートなどで演奏する際、据え置きのキーボードでは全く動くことができずにギタリストなどと一緒にステージパフォーマンスができなかった。
また、従来のショルダーキーボードでは演奏時に鍵盤面が見づらく覗き込むような姿勢にならざるを得ない欠点があり、鍵盤を弾く右腕上腕含む腕全体を水平方向に動かし演奏するため無理のある演奏姿勢になりがちであった。
本発明は以上の問題点を解決するためになされたものである。
【課題を解決するための手段】
【０００５】  キーボードの底面に、腕を締めるスリーブ式の装着具を固定し、キーボード自体を上腕に装着する形にした。
以上の構成による演奏用のアームキーボード。
【発明の効果】
【０００６】  従来、困難であったステージ上での動きまわりながらの自然な演奏を本発明により可能にし、ギタリストなどと同様に自由度の高いパフォーマンスができる。
また、本発明により、従来のショルダーキーボードと違って鍵盤を常に直接視認でき、鍵盤を覗き込む姿勢にならずにすみ、鍵盤を弾く右腕の動きは、無理のない、ひじから先だけの上下の自然な動きで演奏できる。
左手でフレームから伸びたアームに設置されたグリップを握って全体を安定させると同時に、グリップに配置された操作ボタンで音色変化等の操作ができる。
【図面の簡単な説明】
【０００７】
【図１】  本発明の斜視図である。
【図２】  本発明の構造を示した斜視図である。
【図３】  本発明の使用状態を示した斜視図である。
【発明を実施するための形態】
【０００８】  以下、本発明の実施の形態を説明する。
（イ）キーボード（１）の底面に面ファスナー等を使った、キーボード底面固定具（２）を設ける。
（ロ）安定性を高めつつ、アームの角度が調整できるようにするため、並列した二本の棒を使ったフレーム（３）（たとえば、卓上電気スタンドのアームと同様）を使用し、その根元側に、面ファスナー等を使ったフレームと腕装着具の固定具（４）を設ける。
（ハ）フレームの底部に腕に装着するための、スリーブ式装着具（５）を設ける。
（ニ）フレームの先端のグリップ（６）には音色操作のコントローラーを設ける。
本発明は以上のような構造である。
本発明を使用するときは、スリーブ式装着具（５）に腕を通して固定し、右手で鍵盤を演奏し、左手で音色を操作する。
左右の腕に対称に装着すれば両手での演奏も可能である。
【符号の説明】
【０００９】    １  キーボード
２  キーボード底面固定具
３  フレーム
４  フレームと装着具の固定具
５  スリーブ式装着具
６  グリップ
【図１】
2018081292.tif 000003
【図２】
2018081292.tif 000004
【図３】
2018081292.tif 000005
(57)【要約】      （修正有）【課題】この発明は、ドリルの問題を１問づつミシン目で分けることで、正解出来なかった問題を切り取り、その問題を繰り返しお直しすることで、弱点を克服し成績向上に役立つものを提供する。【解決手段】問題を一問づつミシン目で分け、切り取る事ができるようにし、裏のぺージは白紙とする事を特徴とする。【選択図】図１
2018202846.tif 000002
【特許請求の範囲】
【請求項１】
問題を一問づつミシン目で分け、切り取る事ができるように出来る機能を設けたことを特徴とするお直し簡単！お直し問題切り取りドリルある。
【発明の詳細な説明】
【技術分野】
【０００１】この発明は、ドリルの問題を１問づつミシン目で分けることで、正解で出来なかった問題を切り取り、その問題を繰り返しお直しすることで、弱点を克服し成績向上に役立つものである。
【背景技術】
【０００２】従来、ドリルは解けた問題と解けなかった問題が同じページに混在しているものである。
【先行技術文献】
【特許文献】
【０００３】
【特許文献１】
【発明の概要】
【発明が解決しようとする課題】
【０００４】これは、次のような欠点があった。
ドリルの問題を解いた後、解けた問題と解けなかった問題が混在していて、解けなかった問題を一目で把握し辛い。
紙面の都合上、正しい解き方や解説をかきこむスペースが無い。
解けなかった問題のお直しをしたかしていないか、把握しにくい。
【課題を解決するための手段】
【０００５】問題を一問づつミシン目で分け、切り取る事ができるようにし、裏のぺーじは白紙とする。
本発明は、以上の構成よりなるお直し簡単！お直し問題切り取りドリルである。
【発明の効果】
【０００６】（イ）解けなかった問題をミシン目で切り取る事で、解けない問題を簡単にピックアップ出来る。
（ロ）切り取った、解けなかった問題をノートに貼ることで、お直しが必要な問題を即座に把握し、集中して取り組むことが出来る。
（ハ）切り取った解けなかった問題をノートに貼ることで、解説やポイント等を書き込むスペースを十分に取ることが出来る。
（ニ）お直しをした、していないの把握がすぐできる。
（ホ）弱点克服のお直しをする習慣を身につけるための良いツールになる。
【図面の簡単な説明】
【０００７】
【図１】本発明の平面図である。
【発明を実施するための形態】
【０００８】以下、本発明の実施の形態について説明する。
問題を一問づつミシン目で分け、切り取る事ができるようにする。
なお、裏のぺーじは白紙とする。
本発明は以上のような構造である。
本発明を使用するときは、間違えた問題をミシン目で切り取りノートに貼り付け、お直しをすることで、理解し成績向上に役立てるものである。
【符号の説明】
【０００９】１  ミシン目
【図１】
2018202846.tif 000003
(57)【要約】      （修正有）【課題】結膜の充血の変化を定量化できるアイモニターを提供する。【解決手段】結膜の充血の状態を識別するために、赤色の補色である緑色の透明フィルムを用いて、結膜表面の充血による赤色の濃淡と分布パターンを識別し、結膜充血の変化を定量化することを特徴とする。【選択図】図１
2018202118.tif 000002
【特許請求の範囲】
【請求項１】
結膜の充血の状態を識別するために、赤色の補色である緑色の透明フィルムを用いて、結膜表面の充血による赤色の濃淡と分布パターンを識別し、結膜充血の変化を定量化することを特徴とするアイモニター。
【発明の詳細な説明】
【技術分野】
【０００１】  本発明は、結膜の充血の変化を定量化できるアイモニターに関する。
【背景技術】
【０００２】  結膜炎の診断では、目視または写真により結膜面の拡張した血管の充血のパターンから、結膜充血かどうかなどを鑑別している（非特許文献１）。この場合、結果として結膜炎が発症しているかどうかの診断が目的となっているため、結膜の充血の変化を定量化して観察することは必要とされていない。【０００３】  また、結膜の充血の変化を観察しても定量化する基準が無いため、結膜炎が進行しているか、快方に向かっているかの判断が難しい。さらに、結膜面の拡張した血管の色が赤色であるため、充血の濃淡やパターンを読み取るのを難しくしている。
【先行技術文献】
【０００４】
【非特許文献１】「日眼会誌」１０７巻１号  ｐ．８〜１０
【発明の概要】
【発明が解決しようとする課題】
【０００５】  結膜充血の変化を定量化し時系列で把握することで、結膜充血の症状に対処する治療及び処方の判断が可能になる。ただ、現状の結膜炎の鑑別は結膜炎であるかどうかのその時点での診断であり、結膜充血による症状の時系列変化を定量化して観察することは目的とされていない。【０００６】  また、目視による結膜面の変化を観察するためには、拡張した赤色の血管を見ることになり、赤色の濃淡や充血の分布パターンの変化を確認する必要がある。しかし現状の目視による方法では結膜面の充血の変化を識別することは難しい。
【課題を解決するための手段】
【０００７】  本発明は、赤色の補色である緑色の透明フィルムを貼り付けた透明のフラットレンズや鏡を透して、目視で結膜面の充血の状態を観察するもので、充血の濃度や分布パターンを識別することができる。充血の濃度や分布パターンは、定量化された基準のパターンと比較して時系列での充血状態の変化を確認できる。
【発明の効果】
【０００８】  本発明により、結膜充血の変化を時系列で観察することで、症状が回復状態にあるか、進行状態にあるかの診断が可能になり、さらに、治療及び処方による効果を確認することができる。また、鏡を用いて自ら結膜充血の状態を観察することで、平常時と平常時でない状態とを比較して、目の健康のモニターとして使用できる。
【図面の簡単な説明】
【０００９】
【図１】識別用に緑色の透明フィルムを貼ったカードミラーの説明図である。
【図２】識別用に緑色の透明フィルムを貼ったカードシートレンズの説明図である。
【発明を実施するための形態】
【００１０】  図１は自らの結膜充血を観察するために、カードサイズのミラーの表面の上半分に緑色の透明フィルムを貼り、下半分のミラーによる反射像と上半分の緑色の透明フィルムを透した反射像とを比較して観察できる。
【００１１】  図２は観察者が被験者の結膜充血を観察するために、カードサイズのシート（フレネル）レンズの表面の上半分に緑色の透明フィルムを貼り、下半分のシートレンズと上半分の緑色の透明フィルムを透して見た違いを観察できる。
【００１２】  また、写真画像を観察する場合は、撮影した結膜充血の写真画像を時系列で並べて観察するため、大判サイズの緑色の透明フィルムシート（図示せず）を使用する。
【００１３】以下、使用手順について説明する。まず、自ら観察する左右どちらかの目を選び、下の瞼を指で押し下げて（あかんベーをした状態）結膜表面をカードサイズミラーの下半分で観察し、結膜表面がミラーなどの影に入らないことを確認してから、ミラーの上半分の緑色の透明フィルムを透して観察する。
【００１４】  観察者が被験者の結膜表面を観察するには、カードサイズのシートレンズを使用してミラーの反射像ではなく直接観察するが、シートレンズで拡大されるため、より識別し易くなる。観察の手順は上述のカードサイズミラーの手順と同じである。また、写真画像の観察は、大判サイズの緑色の透明フィルムシートを直接写真画像の上に乗せて観察する。
【００１５】
【表１】
2018202118.tif 000003
【００１６】  結膜充血の濃度や分布パターンを識別するには、まず、緑色の透明フィルムを透して見ることで、赤色の濃い部分が黒く見えるとともに輪郭もはっきりすることを確認する。次に、黒く見える部分の分布パターンと、上記表１右図の結膜パターンとを比較して、どの段階の分布パターンに該当するかを確認する。
【００１７】  表１は測定用紙であり、右図は結膜面の充血の分布変化をパターン化定量化したもので、基準として４段階の変化を表している。例えば、温熱治療器の治療効果を確認する場合、治療前のパターン評価が４段階の１で治療終了５分後のパターンが４段階の３になれば、血行促進効果による結膜の充血状態が回復したことを示し、治療効果を確認することができる。
【符号の説明】
【００１８】  １  カードサイズミラー
２  緑色透明フィルム
３  ミラー
４  カードサイズシートレンズ
５  シート（フレネル）レンズ
【図１】
2018202118.tif 000004
【図２】
2018202118.tif 000005
(57)【要約】【課題】部材としての形態で、硬化したセルロースナノファイバーのもつガスバリア性と耐切創性を鞄へ付加できる皮革部材を提供する。【解決手段】皮革の表面又は裏面にセルロースナノファイバーを部分的又は全体的にコーティングして硬化させ、鞄を構成する部材として活用できるようにした、ガスバリア機能と耐切創機能を同時に鞄へ付加することができる皮革部材であることを特徴とする。【特許請求の範囲】
【請求項１】
皮革の表面又は裏面にセルロースナノファイバーを部分的又は全体的にコーティングして硬化させ、鞄を構成する部材として活用できるようにした、ガスバリア機能と耐切創機能を同時に鞄へ付加することができる皮革部材。
【発明の詳細な説明】
【技術分野】
【０００１】  この発明は、皮革の表面又は裏面にセルロースナノファイバーを部分的又は全体的にコーティングして硬化させ、鞄を構成する部材として活用できるようにした、ガスバリア機能と耐切創機能を同時に鞄へ付加することができる皮革部材である。
【背景技術】
【０００２】  昨今の複雑な社会情勢により、平穏な地域においても毒ガス発生物や爆発物などを用いたテロ行為に突然巻き込まれるリスクが高まりつつあり、日常的な防護対策の広い普及が必要であると考えられる。そこで、日常的な防護対策の普及を図る方法の一つとして、鞄の形態が考えられた。毒ガス発生物や爆発物を発見した際、その対象物を鞄に包む事でその作用の抑制を図る、というものである。
これを実現するため、ガスバリア機能と耐切創機能を付加できる鞄の部材が求められた。その候補として、セルロースナノファイバーの活用が考えられる。しかし、鞄に直接塗布する方法もあるが効率が悪く、正常に塗布できない可能性もあり、部材として必要であった。
【発明の概要】
【発明が解決しようとする課題】
【０００３】  爆発物や毒ガス発生物を緊急で封じてその作用を抑制できる鞄を製作しようとする場合、部材としての形態で、硬化したセルロースナノファイバーのもつガスバリア性と耐切創性を鞄へ付加できる方法が求められた。本発明は、硬化したセルロースナノファイバーのもつガスバリア性と耐切創性を、部材として鞄へ付加できるようになされたものである。
【課題を解決するための手段】
【０００４】  硬化したセルロースナノファイバーは、優れたガスバリア性と耐切創性をもつ。
本発明は、皮革の表面又は裏面にセルロースナノファイバーを部分的又は全体的にコーティングして硬化させ、鞄を構成する部材として活用できるようにした、ガスバリア機能と耐切創機能を同時に鞄へ付加することができる皮革部材である。
【発明の効果】
【０００５】  本発明は、皮革素材とセルロースナノファイバーが一体となっている皮革部材である為、特に皮革素材を主な部材として作られた鞄においては、皮革素材としての全体的な美感を損ねることなく、硬化したセルロースナノファイバーのもつガスバリア性と耐切創性を付加することができる。これが、本発明における最も大きな効果である。
第二に本発明は、ガスバリア機能や耐切創機能がない鞄として消費者層に一度流通した鞄に対しても、後付にて簡単にガスバリア機能と耐切創機能を同時に付加することができるため、対テロ対策として、日常的な防犯対策として、国民的な広い普及を図りやすい。
第三に本発明は、大量生産してストックしやすいため、生産や管理の際に効率もよく、機能性の品質確認だけでなく、皮革素材としての品質確認等を経た選別提供も可能となる。
【発明を実施するための形態】
【０００６】  本発明を実施するための形態についての一例を説明する。部材としてつくる皮革の表面又は裏面の部分に対し、セルロースナノファイバーを塗布し硬化させる。これにより、表面又は裏面の部分にセルロースナノファイバーがコーティングされた形態の、ガスバリア性と耐切創性をもつ本発明の皮革部材ができる。本発明の部材を、鞄を構成する部材として大部分に用いれば、優れたガスバリア機能と耐切創機能を併せもつ鞄となる。
(57)【要約】      （修正有）【課題】クリップボードに挟んだ用紙を素早くカット補助する補助定規を提供する。【解決手段】直定規１の少なくとも一端にクリップボード４の縁に装着するクリップを設けたことを特徴とするペーパーカット補助定規であって、クリップボード縁にペーパーカット補助定規のクリップを差し込み補助定規を軽く押さえ用紙５の一片を引くと用紙を簡単にカットできる。補助定規をクリップボードの上、横縁に差し替えるだけで用紙を縦横にカットできる。【選択図】図４
2018183971.tif 000002
【特許請求の範囲】
【請求項１】
直定規の少なくとも一端にクリップを設けたことを特徴とするペーパーカット補助定規
【請求項２】
直定規の左右端に爪の長さの異なるクリップを設けたことを特徴とするペーパーカット補助定規。
【発明の詳細な説明】
【技術分野】
【０００１】本発明は、クリップボードに挟んだ用紙を素早くカット補助するクリップボードに関するものである。
【背景技術】
【０００２】従来、クリップボードに挟んだ用紙を素早く簡単にカットできなかった。
【発明の概要】
【発明が解決しようとする課題】
【０００３】そのため、次のような問題点があった。
（イ）用紙に余白が広く生じたとき簡単に奇麗にカットできず用紙一枚無駄に使用していた。
本発明は、これらの問題点を解決するためになされたものである。
【課題を解決するための手段】
【０００４】第１の発明は、直定規の少なくとも一端にクリップボード縁に装着するクリップを設けたペーパーカット補助定規である。
第２の発明は、直定規の左右端に爪の長さの異なるクリップを設けたペーパーカット補助定規である。
【発明の効果】
【０００５】クリップボード縁にペーパーカット補助定規のクリップを差し込図４に示すように補助定規を軽く押さえ用紙の一片を引くと用紙を簡単にカットできる。
補助定規をクリップボードの上、横縁に差し替えるだけで用紙を縦横にカットできる。
ボードと用紙上に装着したペーパーカット補助定規をカット位置まで移動させ用紙の一片を図８に示すように引くと用紙を簡単にカットできる。定規の上下の移動だけで素早くカットでき用紙のロスもなく経済的である。用紙の補充は定規を左右にずらし一方のクリップをボードから外し用紙を補充する。
定規で用紙が押さえられ捲れることもなく、定規の目盛りも利用できる便利なペーパーカット補助定規である。
【図面の簡単な説明】
【０００６】
【図１】  本発明を下方向から見た底面図である。
【図２】  本発明の側面図である。
【図３】  本発明をクリップボードと用紙に装着した使用例を示す側面図である。
【図４】  本発明を介しクリップボードの用紙をカットしている例を示す使用例図である。
【図５】  本発明を下方向から見た底面図である。
【図６】  本発明の側面図である。
【図７】  本発明がクリップボードと用紙を左右のクリップで挟み装着した例を示す側面図である。
【図８】  本発明を介しクリップボードの用紙をカットしている例を示す使用例図である
【発明を実施するための形態】
【０００７】以下、本発明の実施の形態について説明する。
図１では、直定規片方に爪の長いクリップを設けた。
図１〜図４に記載する本発明は以上のような構成である。
これを使用するときは、補助定規のクリップをボードの縁に差しこみ定規の端を軽く押さえ用紙をカットする図４。クリップの差しかえだけで用紙を縦横にカットでき、直定規の目盛りも利用でき便利である。
【０００８】図５では、直定規左右端に爪の長さの異なるクリップを設けた。
図５〜図８に記載する本発明は以上のような構成である。
これを使用するときは、補助定規の片方のクリップをボードの縁に差し込みクリップを左右に移動させ左右のクリップを使い装着する。用紙をカットしたいところに補助定規を上下にスライドさせ用紙を引くとカットできる。直定規の目盛りも利用でき便利である。
【符号の説明】
【０００９】１  直定規
２  クリップ
３  爪
４  クリップボード
５  用紙
６  目盛り
７  指
【図１】
2018183971.tif 000003
【図２】
2018183971.tif 000004
【図３】
2018183971.tif 000005
【図４】
2018183971.tif 000006
【図５】
2018183971.tif 000007
【図６】
2018183971.tif 000008
【図７】
2018183971.tif 000009
【図８】
2018183971.tif 000010
(57)【要約】【課題】ヘアーブラシを収納ケースに入れるための専用ケースを提供する。【解決手段】ヘアーブラシを収納するための専用ケースを設け、収納ケース横側に鍵を設け、収納ケース内に静電気防止を設け、ヘアーブラシを清潔に保ちプライバシーを守る特徴とする収納ケース。【選択図】図１
2018183551.tif 000002
【特許請求の範囲】
【請求項１】
ヘアーブラシを収納するための専用ケースを設け、収納ケース横側に鍵を設け、収納ケース内に静電気防止を設け、ヘアーブラシを清潔に保ちプライバシーを守る特徴とする収納ケース。
【発明の詳細な説明】
【技術分野】
【０００１】本発明は、ヘアーブラシを入れる収納ケース又静電気防止に関するものである。
【背景技術】
【０００２】ヘアーブラシをそのまま置いてある。
【発明の概要】
【発明が解決しようとする課題】
【０００３】そのために次のような問題点があった。
（イ）持ち運びする際にかばん等にいれるため清潔ではないとう欠点があった。
（ロ）持ち運びする際にかばん等にいれるため第三者に触れられる欠点があった。
（ハ）髪とブラシをこする際に静電気が発生するという欠点があった。
本発明は、これらの問題を解決するためになされたものである。
【課題を解決するための手段】
【０００４】ヘアーブラシを収納するための専用ケースを設ける。
専用ケースに鍵を設ける。
専用ケース内に静電気防止を設ける。
以上を特徴とするヘアーブラシ収納ケースである。
【発明の効果】
【０００５】本発明の収納ケースはヘアーブラシを専用ケースに入れ埃等の付着を防ぎ清潔に保つができ、又鍵を設けることによってプライバシーを守り、静電気防止の利点がある。
【図面の簡単な説明】
【０００６】
【図１】本発明の斜視図である。
【図２】本発明の一部を切り欠いた側面図である。
【発明を実施するための形態】
【０００７】以下、本発明の実施の形態について説明する。
（イ）収納ケース上部にファスナー（１）を設け、横側に鍵穴（２）を設ける。
（ロ）収納ケース内に静電気防止（３）を設ける。
本発明は以上のような構成である。
本発明を使用するときは、収納ケースのファスナー（１）を開けて、ヘアーブラシを収納する。
収納ケース内のヘアーブラシは静電気防止（３）に触れた際に静電気を防止する。
ファスナーを閉じて鍵穴（１）に鍵を設ける。
【符号の説明】
【０００８】１  ファスナー
２  鍵穴
３  静電気防止
【図１】
2018183551.tif 000003
【図２】
2018183551.tif 000004
(57)【要約】      （修正有）【課題】手ぶらで使用でき、頭部と一定の距離を保ち、髪を乾燥させることを目的とするヘアドライヤーおよび自律無人飛行装置（ドローン）を提供する。【解決手段】クアッドコプターを用いて実施したものである。１はプロペラ、２は加熱装置、３はバッテリー、４はセンサ類である。小型の自律無人飛行装置（マルチコプターやダクテッドファン型ドローン）の翼の下部にニクロム線によるヒーターを設置する。人感センサおよび超音波センサにより姿勢を制御し、頭部から一定の距離を保ちながらホバリングできるようにする。電源は、ドローン本体および加熱装置ともにバッテリーで駆動する。【選択図】図１
2018183553.tif 000002
【特許請求の範囲】
【請求項１】
加熱装置により、物を乾燥させるのに適した温度の温風を吹き出し、姿勢を安定させるための制御機構およびセンサを有する、自律無人飛行装置（ドローン）。
【請求項２】
頭部からの距離を一定に保ちながらホバリングすることを特徴とする、請求項１に記載の自律無人飛行装置（ドローン）。
【請求項３】
髪を乾燥させるのに適した温度の温風を出すことを特徴とする、請求項１および２に記載の自律無人飛行装置（ドローン）。
【発明の詳細な説明】
【技術分野】
【０００１】本発明は、髪を乾燥させることを目的とするヘアドライヤーおよび自律無人飛行装置（ドローン）に関するものである。
【背景技術】
【０００２】髪を乾燥させるヘアドライヤーはファンで風を起こし先端のヒーターでそれを温めるという構造を基本にしつつ、マイナスイオンを出したりファンを二重構造にして風力を高めたりと様々な技術が発達してきた。【０００３】しかし、ヘアドライヤーを片手で支持しなければならない状態は抜本的に改善されていない。また自らドライヤーを支持する場合、髪との距離にムラができがちである。これは温度の不均一を招き、髪質へ影響を与えてしまう。【０００４】これらの改善策として、手ぶらでヘアドライヤーを使用できる設置器具、および頭部装着型のヘアドライヤーなどが考案されている。しかし、安全性や実際の効果の面で有効な結果がでているとはいいがたい。
【先行技術文献】
【特許文献】
【０００５】
【特許文献１】特開２００６−３４６３８８号広報
【特許文献３】特開２００３−１９８７３２号広報
【発明の概要】
【発明が解決しようとする課題】
【０００６】従来はヘアドライヤーを用いる際、片手あるいは両手で支持しなければならなかった．このために別の仕事をしながら髪を乾かすということが困難であった．また、ヘアドライヤーを適切な温度で使用するには一定の距離を保つ必要があるが、自らの手による支持では距離にムラができやすく、髪質に影響を与えてしまっていた．
本発明は、両手が自由な状態で髪を乾かし、かつドライヤーと髪の毛との距離を一定に保ちながら乾かすことを目的とするものである。
【課題を解決するための手段】
【０００７】本発明は、ドローンに加熱装置を設け、温風を発しながらホバリングするように構成したものである。加熱装置は、ガス式、有線給電式、無線給電式、バッテリー式などを含む。
【発明の効果】
【００８】本発明は、ドローンが温風を発しながら頭部周辺でホバリングするように構成したので、手で支持することなしに髪を乾かすことができ、適切な姿勢制御により髪とドライヤー部分の距離を頭部の位置に関わらず一定に保つことを可能とする．これにより髪質への温度ムラの影響を最小にできる。また、身体の不自由な方でも髪を乾かしやすい。ガス式・無線給電式・バッテリー式であれば、移動しながらでも髪を乾かすことができる。髪以外の身体部位や小物の乾燥にも使用できる。
【図面の簡単な説明】
【００９】
【図１】  本発明の実施方法を示した正面図である。（実施例１）
【図２】  本発明の実施方法を示した下面図である。（実施例１）
【図３】  本発明の他の実施方法を示した正面図である。（実施例２）
【発明を実施するための形態】
【００１０】小型の自律無人飛行装置（マルチコプターやダクテッドファン型ドローン）の翼の下部にニクロム線によるヒーターを設置する。人感センサおよび超音波センサにより姿勢を制御し、頭部から一定の距離を保ちながらホバリングできるようにする。電源は、ドローン本体および加熱装置ともにバッテリーで駆動する。
【実施例１】
【００１１】図１は、本発明装置の１実施例の正面図であり、クアッドコプターを用いて本発明を実施したものである。１はプロペラ、２は加熱装置、３はバッテリー、４はセンサ類である。【００１２】図２は、同実施例の下面図である。１〜４は図１と同じである。
【実施例２】
【００１３】図３は、本発明の他の実施例の正面図であり、ダクテットファン型のドローンを用いて本発明を実施したものである。１〜４は図１と同じである。
【符号の説明】
【００１４】１  プロペラ
２  加熱装置
３  バッテリー
４  センサ類
【図１】
2018183553.tif 000003
【図２】
2018183553.tif 000004
【図３】
2018183553.tif 000005
(57)【要約】      （修正有）【課題】盗難防止装置の付加した傘は選択肢が限られ、盗難対策の施された傘立ては設置場所が限られる。また、従来の防犯装置は加害者に対し警戒、威嚇するイメージの物が多く、時には防犯行為により加害者に衝動的な挑戦意識を抱かせて装置の破壊を試みられる可能性がある。【解決手段】盗難防止装置の付加されていない傘に加工をすること無く盗難防止装置を容易に着脱出来るようにしたものである。装置は蝶番１で広く開く仕組みになっており、装置を閉じて装着した際には傘の露先を露先止め３が包み込むことで傘が開かない状態になる。且つ柄と露先の隙間に突出部４を差し込むことで石突き側にも手元側にも装置自体が抜けない仕組みとなる。装置を閉じた際に施錠部６が重なり施錠することが可能になる。また、装置自体に威嚇効果の弱い丸みを帯びたデザインやマスコットを用いることで、加害者の破壊行為の衝動を抑制する。【選択図】図１
2018183321.tif 000002
【特許請求の範囲】
【請求項１】
閉じられた状態の傘において、装置を装着することで傘の２露先を装置の３露先止めで押さえて傘を展開できないようにし、２露先と５柄の間に４突出部を割り込ませることで装置自体が傘から抜けないようにする傘用盗難防止装置。
【請求項２】
請求項１に施錠機構を備えたもの。  
【請求項３】
傘の盗難防止装置において、図４のようにデザインにマスコットを取り入れたもの。
【発明の詳細な説明】
【技術分野】
【０００１】
本発明は、傘の盗難防止に関するものである。
【背景技術】
【０００２】
盗難防止装置を付加した傘は存在するが、その種類は少なく選択肢が限られ、盗難対策の施された傘立ては設置場所が限られるという問題がある。
【先行技術文献】
【特許文献】
【０００３】
【特許文献１】特開平０９−１８９１６３号公報
【発明の概要】
【発明が解決しようとする課題】
【０００４】
解決しようとする課題は、傘の盗難防止対策として盗難防止対策のなされていない傘に加工や接着無しに容易な手段で盗難防止装置を付加させるということが困難であるという点である。
【０００５】
また、従来の防犯装置は加害者に対し威嚇するイメージの物が多く、時にはその防犯行為により加害者に衝動的な挑戦意識を抱かせて暴力的な行為で装置の破壊を試みられる可能性がある。
【０００６】
上記特許文献１での盗難防止装置では鍵穴の付いた取手を細い穴に入れるという作業が必要になる上、間仕切りでは装置が石突き側へ抜けやすく、強く締め付けたり無理に引き抜こうとすると間仕切りにより傘の小間が傷ついたり破れたりする可能性がある。
【課題を解決するための手段】
【０００７】
本発明は、盗難防止装置の付加されていない傘本体に加工を施さずに盗難防止装置を容易に付加させることが可能になり、且つ装置を携帯可能にしているということが主な特徴である。
【０００８】
容易に着脱出来るよう装置は蝶番で広く開く仕組みになっており、装置を閉じた際には傘の露先を包み込み傘が開かない状態にさせる。且つ柄と露先の隙間に突出部を差し込むことで石突き側にも手元側にも装置自体が抜けない仕組みとなる。
【０００９】
装置を閉じた際に出来る装置施錠部の重なりに容易に施錠することが可能になる。
【発明の効果】
【００１０】
本発明を閉じられた傘に装着し施錠することにより、装置が施錠された錠の鍵を持つ者以外の傘の展開が不可能になり盗難防止効果になる。
【００１１】
本発明自体に施錠機構を備えて施錠をより容易に行う事も可能である。
【００１２】
また、装置自体の型に威嚇効果の弱い丸みを帯びたデザインやマスコットを用いることで、加害者の装置破壊行為の衝動を抑制する。
【図面の簡単な説明】
【００１３】
【図１】図１は装置を開いた状態の説明図である。
【図２】図２は装置を閉じた状態の説明図である。
【図３】図３は装置を閉じた状態の図２Ａからの断面図である。
【図４】図４は装置のデザインにマスコットを取り入れた例である。
【００１４】
以下、この発明の実施形態について図面に基づいて説明する。図１、２、３、４は、この発明の一実施形態を示すものである。図面番号は共通項目を示す。
【００１５】
装置は１の蝶番を介して図１のように左右に開く。
【００１６】
閉じた傘の２露先を３露先止めに合わせる。
【００１７】
装置の４突出部を傘の５柄と２露先の間に入れる。
【００１８】
図２のように装置を閉じることで傘の5柄と2露先の間に４突出部が割り込み、装置が石突き側へも手元側へも抜けなくなる。
【００１９】
図２のように装置を閉じた状態では６施錠部に装置の左右の部品が重なり７錠での施錠が可能となる。
【符号の説明】
【００２０】
１蝶番
２露先
３露先止め
４突出部
５柄
６施錠部
７錠
Ａ断面線
【図１】
2018183321.tif 000003
【図２】
2018183321.tif 000004
【図３】
2018183321.tif 000005
【図４】
2018183321.tif 000006
(57)【要約】【課題】再生可能エネルギー発電の風力発電は、安定性に欠ける自然エネルギーの風を頼っての発電のため発電コストが高くなってしまうので、風力発電用タービンを風車ではなく移動体を使って稼働、発電する移動体式発電電力増幅装置を提供する。【解決手段】風力発電用タービンを発電機（１）に使い、トラック（２）を設ける。トラックの中心に位置するローターシャフト（３）にドライブシャフト（４）を接続。ドライブシャフトに取り付けた移動体（５）がトラックを走行するとローターシャフトが、回転し発電する移動体式発電電力増幅装置を特徴とする。【選択図】図１
2018183026.tif 000002
【特許請求の範囲】
【請求項１】
発電機（１）にトラック（２）を設ける。発電機のローターシャフト（３）と動力伝達用のドライブシャフト（４）と移動体（５）とを組み合わせる。移動体がトラックを走行移動すると同時にドライブシャフトが動き、ローターシャフトを回転させ、発電機が稼働し、発電するように設けた移動体式発電電力増幅装置。
移動体の動力源に再生可能エネルギー発電の電力や生物起源の燃料など、再生可能エネルギーを利用することで移動体式発電電力増幅装置による発電も再生可能エネルギー発電となる。
【発明の詳細な説明】
【技術分野】
【０００１】  この発明は、風力、太陽光、水力、地熱、バイオマス等、再生可能エネルギー発電に使用する発電装置、移動体式発電電力増幅装置に関するものである。
【背景技術】
【０００２】  従来、再生可能エネルギー発電は、原子力や化石燃料を使う既存の発電電力と比較して発電コストが高く、電気料金も高くなる。
【先行技術文献】
【特許文献】
【０００３】
【発明の概要】
【発明が解決しようとする課題】
【０００４】  これは、次のような欠点があった。
従来、再生可能エネルギー発電である風力発電に使用される発電用タービンは、弱い風でも風さへ吹けば稼働し発電できるようになっている。しかし、風力発電は自然エネルギーの風を頼っての発電なため天候に左右され風が一定にならず適地も偏り、さらに電気の余る夜間にも発電し調節するには困難さが伴う。台風など自然災害への対策も発電コストが高くなる要因となっている。本発明は、以上のような欠点をなくすためになされたものである。
【課題を解決するための手段】
【０００５】  風力発電用タービンを発電機（１）として使用するため平坦な場所に設置し、トラック（２）を設ける。トラックの中心で垂直軸状態にしたローターシャフト（３）と動力伝達用のドライブシャフト（４）とを接続し、ドライブシャフトに移動体（５）を取り付ける。移動体が動くとドライブシャフトも動き、ローターシャフトが回転し発電する。
本発明は、以上の構成によりなる移動体式発電電力増幅装置である。
【発明の効果】
【０００６】  風力発電用タービンのローターシャフトが風の力で回転するのなら、別の力に代えてもローターシャフトは回転する。風車の代わりに移動体を使ってローターシャフトを回転させれば発電できる。移動体の動力源に再生可能エネルギー発電の電力や生物起源の燃料など再生可能エネルギーを利用することで、移動体を使用する発電も再生可能エネルギー発電となる。
【図面の簡単な説明】
【０００７】
【図１】本発明の側面断面図である。
【図２】本発明の俯瞰図である。
【発明を実施するための形態】
【０００８】  以下、本発明を実施するための形態について説明する。
風力発電用に開発された発電用タービンを発電機（１）として使用するため平坦な場所に設置する。
発電用タービンの上部に広くトラック（２）を設け、トラックの中心にローターシャフト（３）を垂直軸の状態にして定置する。
ローターシャフトと動力伝達用のドライブシャフト（４）とを接続、このドライブシャフトに移動体（５）を取り付ける。
移動体が、ローターシャフトを中心に円を描くようにトラック内を走行移動し、ドライブシャフトを動かすとローターシャフトが回転し、発電機が稼働し発電する。
本発明は、以上のような構造である。
これを使用するときは、スイッチ等のＯＮ／ＯＦＦで随時、発電機の稼働、停止が速やかに、且つ安全に行なえる。
【符号の説明】
【０００９】  １  発電機
２  トラック
３  ローターシャフト
４  ドライブシャフト
５  移動体
【図１】
2018183026.tif 000003
【図２】
2018183026.tif 000004
(57)【要約】      （修正有）【課題】従来は、効率が悪るい発電方法しかなかった。新しい効率の良い電力増加法を提供する。【解決手段】発電所のケーブル及び電線に、永久磁石を巻きつける。電気が減衰している電線に、磁石をｎ個巻きつける。電磁流体発電は、わずか発電した電線の電力を、磁石で、５ｎ倍の電力（ｎは磁石の個数）に増加させる。虚数回路で、電線に磁石ｎ個施置して、カバーをかぶせる。【選択図】なし【特許請求の範囲】
【発明の詳細な説明】
2018183027.tif 000002
【手続補正書】
【提出日】平成29年10月30日(2017.10.30)
【手続補正２】
【補正対象書類名】特許請求の範囲
【補正対象項目名】全文
【補正方法】変更
【補正の内容】
【特許請求の範囲】
【請求項１】
発電所のケーブル及び電線に、永久磁石を巻きつける。
電気が減衰している電線に、磁石をｎ個巻きつける。
【請求項２】
永久磁石ｎ個巻くと電力が、５ｎ倍に増加する。
2018183027.tif 000003
【請求項３】
2018183027.tif 000004
例［永久磁石１０個巻いたら、５１０＝９７６５６２５、０倍に電力増加］
【請求項４】
虚数回路で、電線に磁石ｎ個施置して、カバーをかぶせる。
【請求項５】
電気がたらふく余っとったら、自然放電するから、電線は燃えない筈。